(57)【要約】【課題】ゴールネットおよびスタンド上の人形からなり、フットボールゲーム盤においてゴールネットの正面でゴールキーパーなどの人形を操作できるグリップを有するゴールキーパーセットを提供する。【解決手段】一対の固定脚を延設した本体、およびこれら固定脚を固定するベースを有するスタンドからなるゴールキーパーセットである。特に、このベースからハンドルを後方に延設し、スタンドをつかみゴールキーパーセットを操作する直立グリップを有するスタンドを有するゴールキーパーセットである。【選択図】図２１
2006204880.tif 000002
【特許請求の範囲】
【請求項１】
一対の固定脚を延設した本体を有する人形、および
固定脚を固定するベース、このベースから後方に延設するハンドル、及びスタンドをつかみ該人形を操作する直立グリップを有するスタンドを有することを特徴とするゴールキーパーセット。
【請求項２】
上記ハンドルが、上記ベースと上記グリップとの間に位置に延設した直立タブを有する請求項１記載のゴールキーパーセット。
【請求項３】
さらに、上記直立タブと上記グリップとの間にあるハンドルに底縁部を設けたゴールネットを有する請求項１記載のゴールキーパーセット。
【請求項４】
上記ゴールネットが、それぞれ平坦面に係合する下端部を有する一対の側部およびこれら側部間に延設した後部を有し、この後部が上記底縁部を有し、そしてこの底縁部を上記下端部よりも高くすることによって、上記底縁部とハンドルを延設した上記平坦面との間に間隙を形成した請求項３記載のゴールキーパーセット。
【請求項５】
各固定脚が、底面に開口を形成した足を有し、そして上記ベースに、それぞれ開口の一つに係合する一対のピンを上方向に延設した請求項１記載のゴールキーパーセット。
【請求項６】
さらに、各側部から上記後部に延設した一対の補強ウェブ、およびこれらウェブをゲーム盤に固定し、ゴールネットを支持する手段を有する請求項４記載のゴールキーパーセット。
【発明の詳細な説明】
【技術分野】
【０００１】
本発明は、ゴールキーパーセットに関する。
【発明の開示】
【発明が解決しようとする課題】
【０００２】
本発明の目的は、ゴールネットおよびスタンド上の人形からなり、フットボールゲーム盤においてゴールネットの正面でゴールキーパーなどの人形を操作できるグリップを有するゴールキーパーセットを提供することである。
【課題を解決するための手段】
【０００３】
即ち、本発明は、
一対の固定脚を延設した本体を有する人形、および
固定脚を固定するベース、このベースから後方に延設するハンドル、及びスタンドをつかみ該人形を操作する直立グリップを有するスタンドを有するゴールキーパーセットを提供するものである。
【０００４】
上記ハンドルが、上記ベースと上記グリップとの間に位置に延設した直立タブを有することが好ましい。
【０００５】
さらに、上記直立タブと上記グリップとの間にあるハンドルに底縁部を設けたゴールネットを有することが好ましい。
【０００６】
上記ゴールネットが、それぞれ平坦面に係合する下端部を有する一対の側部およびこれら側部間に延設した後部を有し、この後部が上記底縁部を有し、そしてこの底縁部を上記下端部よりも高くすることによって、上記底縁部とハンドルを延設した上記平坦面との間に間隙を形成することが好ましい。
【０００７】
各固定脚が、底面に開口を形成した足を有し、そして上記ベースに、それぞれ開口の一つに係合する一対のピンを上方へ延設することが好ましい。
【０００８】
さらに、ゴールネットは各側部から上記後部に延設した一対の補強ウェブ、およびこれらウェブをゲーム盤に固定し、ゴールネットを支持する手段を有することが好ましい。
【発明を実施するための最良の形態】
【０００９】
本発明の好適な実施態様を例示のみを目的として添付図面について説明する。まず、図１〜図１２について説明する。図１〜図１２に概略示した人形（ボールキッカー）１０は例えばフットボールのゴールキッカーであり、本体１１、固定脚１２およびピボット/キック脚１３を有する。固定脚１２は、図１〜図７に示すように平坦なベース１４に取り付けることができる。あるいは、図９〜図１２に示すように、凹部を形成したベース１５に取り付けることができる。
【００１０】
ピボット脚１３のピン１６の周囲にコイルばね１７を設ける。ばね１７およびピン１６と連動するストッパー１８が、本体１１内に形成した当接体１９に係合し、ピボット脚１３がばね１７の張力に逆らって後方に引っ張られる範囲を制限する。さらに、別な当接体２０を本体１１内に形成し、図４および図７に示す姿勢で、ストッパー１８がこの当接体２０に係合し、使用時に、ピボット脚１３の蹴りだし位置を制限する。
【００１１】
スタンド１５は、複数の凹部２１およびピボットピン２５を有する。これら凹部２１（図１４参照）は浅い凹部で、半径はボール２２とほぼ同じである。固定脚１２の足２３の底面開口２４にピン２５を挿入し、ゴールキッカー１０を強くではあるが、回動できるように支持する。即ち、ゴールキッカーは、キック脚１３が各凹部２１に整合し、従って凹部の一つに選択的においたときにボール２２が所望の軌道で蹴りだされるように配置できる。図１５〜図１８に、ボールを凹部２１のそれぞれに置いたときのキック脚１３の足とボール２２との整合状態を示す。
【００１２】
図２１に示す第２のトイフィギュアは、ゴールキーパー２６である。ゴールキーパーの一対の固定脚をベースプレート２８のピン２７に取り付け、このプレートからハンドル２９を延設し、このハンドルの後縁部に直立グリップ３０を設ける。
【００１３】
ハンドル２９の一対の直立タブ３２間に横スロット３１を設け、このスロット３１内にゴールネット３４の縁部３３を係合する。
【００１４】
このゴールネット３４は、一対の側部３５および後部３６を有する。それぞれの側部３５が後部３６に接続する各底部コーナー部に、ゴールネットの剛度を強化するとともに、ゴールネットをゲーム盤（図示せず）に固定できる取り付けプレートとして作用する三角形の補強ウェブ３８を設ける。具体的には、各補強ウェブに取り付け開口３９を垂直に延設する。これら開口はそれぞれねじ、リベット、ボルト、ピンなどの固定手段を受け取り、ゴールネットをゲーム盤に固定する。各側部３５の下端３７は、使用時、平坦なゲーム面に位置する。（後部３６の中間部の底縁部である）縁部３３を平坦なゲーム面から上に引き離し、ハンドル２９を挿入するスペースを形成する。
【００１５】
ゲーム時、ゴールキッカーで遊ぶ子供が、凹部の一つにボールを置き、ばね１７の張力に逆らってキック脚１３を後方に引く。キック脚から負荷を解放すると、ばねがキック脚１３を前方に動かし、ボール２２がゴールネット３４に向かって飛んでいく。ゴールキーパーで遊ぶ子供がグリップ３０をつかみ、ゴールネットに対してゴールキーパーを左右に動かすと、ボールをブロックできる。
【００１６】
当業者にとって自明な改変、変更などはいずれも本発明の範囲内に含まれる。例えば、（ゴールキーパーを横に動かすためにゴールネット３４の底縁部３０をスロット３１に係合することを意図して）一対の直立タブ３２をハンドルに設ける代わりに、単独のタブ３２をネットの底縁部３０の前方に設け、使用時に、ゴールキーパーを横だけでなく、前後に動かせるようにしてもよい。このような構成では、単独直立タブの高さをゴールネットの中間部の底部端部よりも高くする。こうすると、タブがゴールネットの底縁部の正面に当接し、使用時に、ゴールキーパーの最も後方の位置になり、一方グリップ３０がゴールネットの後部に当接し、使用時に、ゴールキーパーの最も前方の位置になる。この場合でも、ゴールキーパーを左右に動かすことができる。
【図面の簡単な説明】
【００１７】
【図１】スタンドに取り付けた状態のゴールキッカーの概略正面図である。
【図２】スタンドから取りはずした状態のゴールキッカーの概略正面図である。
【図３】図１に示したゴールキッカーの概略背面図である。
【図４】キックする脚が負荷解放状態にある、図１のゴールキッカーの概略側面図である。
【図５】キックする脚がばね負荷解放前の状態にある、図４のゴールキッカーの概略側面図である。
【図６】図５の状態にある、内部ばね/ピボット制限ストッパーを示す概略正面図である。
【図７】図４の状態にある、内部ばね/ピボット制限ストッパーを示す概略正面図である。
【図８】内部ばねの概略図である。
【図９】複数のボール受け取り凹部を形成したスタンドの各位置にボールが存在している状態におけるゴールキッカーの概略斜視図である。
【図１０】複数のボール受け取り凹部を形成したスタンドの各位置にボールが存在している状態におけるゴールキッカーの概略斜視図である。
【図１１】複数のボール受け取り凹部を形成したスタンドの各位置にボールが存在している状態におけるゴールキッカーの概略斜視図である。
【図１２】ゴールキッカーを外した状態の、図９〜１１に示したスタンドの概略斜視図である。
【図１３】図１２に示したスタンドの概略平面図である。
【図１４】図１３のスタンドおよびこの上にあるボールを示す概略正面図である。
【図１５】図１３のスタンドを示す概略平面図で、ゴールキッカーおよびスタンドの異なる受け取り凹部にあるボールを示す図である。
【図１６】図１３のスタンドを示す概略平面図で、ゴールキッカーおよびスタンドの異なる受け取り凹部にあるボールを示す図である。
【図１７】図１３のスタンドを示す概略平面図で、ゴールキッカーおよびスタンドの異なる受け取り凹部にあるボールを示す図である。
【図１８】図１３のスタンドを示す概略平面図で、ゴールキッカーおよびスタンドの異なる受け取り凹部にあるボールを示す図である。
【図１９】ゴールネットおよびゴールキーパー用スタンドを示す図で、このゴールネットをスタンドのハンドルから取り外した状態を示す概略斜視図である。
【図２０】図１９のゴールネットおよびスタンドを示す図で、ゴールネットの底部縁部をスタンドのハンドルに形成したスロットに係合した状態を示す概略斜視図である。
【図２１】使用状態にある図１９および図２０の玩具要素を示す図で、ゴールキーパーをスタンドに取り付けた状態を示す概略斜視図である。
【符号の説明】
【００１８】
１０：ボールキッカー、
１１：本体、
１２：固定脚、
１３：キック脚、
１４：平坦ベース、
１５：凹部形成ベース、
１６：ピン、
１７：コイルばね、
１８：ストッパー、
１９：当接体、
２０：当接体、
２１：凹部、
２２：ボール、
２３：足、
２４：開口、
２５：ピン、
２６：ゴールキーパー、
２７：ピン、
２８：ベースプレート、
２９：ハンドル、
３０：グリップ、
３１：スロット、
３２：タブ、
３４：ゴールネット、
３８：補強ウェブ。
【図１】
2006204880.tif 000003
【図２】
2006204880.tif 000004
【図３】
2006204880.tif 000005
【図４】
2006204880.tif 000006
【図５】
2006204880.tif 000007
【図６】
2006204880.tif 000008
【図７】
2006204880.tif 000009
【図８】
2006204880.tif 000010
【図９】
2006204880.tif 000011
【図１０】
2006204880.tif 000012
【図１１】
2006204880.tif 000013
【図１２】
2006204880.tif 000014
【図１３】
2006204880.tif 000015
【図１４】
2006204880.tif 000016
【図１５】
2006204880.tif 000017
【図１６】
2006204880.tif 000018
【図１７】
2006204880.tif 000019
【図１８】
2006204880.tif 000020
【図１９】
2006204880.tif 000021
【図２０】
2006204880.tif 000022
【図２１】
2006204880.tif 000023